(57)【要約】【課題】フレーム数が増加しても画像データのサイズを抑えることができる画像処理方法及び画像処理装置を提供することである。【解決手段】本発明にかかる画像処理方法は、輝度情報（Ｙ）と、青色成分と輝度との色差の情報である第１の色差情報（Ｕ）および赤色成分と輝度との色差の情報である第２の色差情報（Ｖ）を含む色差情報（Ｕ／Ｖ）と、を有する画像データを用意する。画像データのうちの第１のフレームを構成する輝度情報２３と色差情報２４を第１のフレームを構成するデータ２０として出力する。そして、画像データのうちの第１のフレームに続く第２のフレームを構成する輝度情報２５と、画像データのうちの第１のフレームを構成する色差情報２４と、を第２のフレームを構成するデータ２６として出力する。【選択図】図２
2010245814.tif 000002
【特許請求の範囲】
【請求項１】
輝度情報と、青色成分と前記輝度との色差の情報である第１の色差情報および赤色成分と前記輝度との色差の情報である第２の色差情報を含む色差情報と、を有する画像データを用意し、
前記画像データのうちの第１のフレームを構成する前記輝度情報と前記色差情報とを前記第１のフレームを構成するデータとして出力し、
前記画像データのうちの前記第１のフレームに続く第２のフレームを構成する前記輝度情報と、前記画像データのうちの前記第１のフレームを構成する前記色差情報と、を前記第２のフレームを構成するデータとして出力する、
画像処理方法。
【請求項２】
前記第２のフレームを構成するデータとして出力される前記色差情報の一部は、前記第２のフレームで追加された前記色差情報である、請求項１に記載の画像処理方法。
【請求項３】
前記第１のフレームの画像と前記第２のフレームの画像の比較結果に基づき、前記第２のフレームで追加する前記色差情報を決定する、請求項２に記載の画像処理方法。
【請求項４】
前記第２のフレームを構成するデータとして出力される前記輝度情報の一部は、前記第１のフレームの輝度情報である、請求項１乃至３のいずれか一項に記載の画像処理方法。
【請求項５】
前記第１のフレームの画像と前記第２のフレームの画像の比較結果に基づき、前記第１のフレームの輝度情報を用いる画素を決定する、請求項４に記載の画像処理方法。
【請求項６】
輝度情報と、青色成分と前記輝度との色差の情報である第１の色差情報および赤色成分と前記輝度との色差の情報である第２の色差情報を含む色差情報と、を有する第１のフレームの画像データから、前記色差情報を分離する色差情報分離部と、
前記色差情報分離部で分離した前記第１のフレームの前記色差情報を記憶する記憶部と、
第２のフレームの輝度情報と、前記記憶部に記憶されている前記第１のフレームの前記色差情報と、を合成する輝度・色差合成部と、
を有する画像処理装置。
【請求項７】
前記輝度・色差合成部で合成される前記色差情報の一部は、前記第２のフレームで追加された前記色差情報である、請求項６に記載の画像処理装置。
【請求項８】
前記フレーム間の前記色差情報の変化を検知する手段を有し、当該色差情報の変化に基づき前記第２のフレームで追加する前記色差情報を決定する、請求項７に記載の画像処理装置。
【請求項９】
前記輝度・色差合成部で合成される前記輝度情報の一部は、前記第１のフレームの輝度情報である、請求項６乃至８のいずれか一項に記載の画像処理装置。
【請求項１０】
前記フレーム間の前記輝度情報の変化を検知する手段を有し、当該輝度情報の変化に基づき前記第１のフレームの輝度情報を用いる画素を決定する、請求項９に記載の画像処理装置。
【発明の詳細な説明】
【技術分野】
【０００１】
本発明は画像処理方法、及び画像処理装置に関し、特にＹＵＶで構成された画像データを圧縮する画像処理方法、及び画像処理装置に関する。
【背景技術】
【０００２】
近年、特に液晶パネルを用いたＴＶ機器では、動きの大きな映像を表示させた際に発生する残像現象の影響を小さくするために、機器内部で受信映像のフレーム数を増加させる処理を行っている。このような処理により、液晶パネルでは、例えば毎秒６０フレームや１２０フレームなどの高速なフレームレートで表示することが可能となっている。
【０００３】
動画を形成するために連続して表示される静止画像は、一つ一つの画素（ｐｉｘｅｌ）がそれぞれの色、明るさなどの情報を有している。そして、この情報の表し方には大きく分けて２種類ある。一つ目は、図６に示すように輝度(明るさ)情報と２種類の色（色差）情報で一画素を構成するもので、一般にＹＵＶ形式、あるいはＹＣｂＣｒ、ＹＰｂＰｒと表現される（特許文献１参照）。二つ目は前述の輝度、色差の代わりに色の３原色（赤、青、緑）で構成するもので、一般にＲＧＢ形式といわれている。
【０００４】
図６で示したＹＵＶ形式は、１画素が輝度成分（Ｙ）、輝度成分と青色成分の色差１（Ｕ）、輝度成分と赤色成分の色差２（Ｖ）をそれぞれ独立で持つ形式あり、ＹＵＶ４：４：４などと呼ばれている。このＹＵＶ４：４：４は、画像が最も精細であるがデータのサイズが大きくなる。
【０００５】
また、第２の形式はＹＵＶ４：２：２である。これは図７に示す様に、横に並んだ２画素のＹが、Ｕ、Ｖを共有するものである。１フレームの情報をＹＵＶ４：２：２で表すと、図７に示す通り、Ｕ、Ｖの情報量がそれぞれＹの情報量の１／２になる。よって、この場合は隣り合った画素の色差情報を共有することで総データ量を２／３に減らすことができる。この形式では、明るさに比べて色に対する分解能が低いという人間の目の特性を利用して、同一フレーム内でのデータ量を削減している。
【０００６】
また、第３の形式はＹＵＶ４：２：０である。これは図８に示す様に、縦・横２画素ずつ並んだ４画素のＹが、Ｕ、Ｖを共有するものである。１フレームの情報をＹＵＶ４：２：０で表すと、図８に示す通り、Ｕ、Ｖの情報量がそれぞれＹの情報量の１／４になる。よって、この場合は縦・横２画素ずつ並んだ４画素の色差情報を共有することで総データ量を１／２に減らすことができる。
【０００７】
日本のアナログＴＶ放送(ＮＴＳＣ方式)は、ＹＵＶ４：２：２の映像を毎秒３０コマで放送している。またデジタルでのＴＶ放送はＭＰＥＧ等の映像圧縮技術を用いて演算により圧縮された映像データを放送しており、当該映像データは受信後に受像機器で伸張処理されている。伸張処理された後の映像は毎秒３０フレームの映像であり、その各フレームは前述のＹＵＶデータを持つ映像である（ＹＵＶ４：２：２またはＹＵＶ４：２：０が一般的）。
【０００８】
このように受信した映像データはドライバＬＳＩ等で処理された後に表示デバイス（ブラウン管、液晶パネル等）に表示される。昨今、特に液晶パネルを用いたデジタルＴＶ機器では、動きの大きな映像を表示させた際に発生する残像現象の影響を小さくするために、機器内部で受信映像のフレーム数を増加する処理を行っている。この処理により、毎秒６０フレームや１２０フレームなどの高速なフレームレートで動画を表示させることができる。
【先行技術文献】
【特許文献】
【０００９】
【特許文献１】特開平１０−３０４４０１号公報
【発明の概要】
【発明が解決しようとする課題】
【００１０】
背景技術で説明したデジタルＴＶ機器では、動きの大きな映像を表示させた際に発生する残像現象の影響を小さくするために、機器内部で受信映像のフレーム数を増加する処理を行っている。このようにフレーム数を増加させると、映像機器が取り扱うデータ量が多くなるためメモリサイズや伝送路帯域、消費電力などが大きくなる。
【００１１】
また、フレームを生成するための処理やデータ転送に当てられる時間は、１フレームを表示している時間内に限られる。このため、フレーム数が増えればそれに応じて表示時間が短くなり、フレーム生成処理やデータ転送をより高速にする必要がある。そのためには、クロック周波数を高くし、データ処理を並列処理化することが必要であるが、このような回路構成とすると回路規模が増大し、また、消費電力が増加する。
【００１２】
また高速な伝送ではＣＭＯＳ信号による伝送からＬＶＤＳなどの差動を用いた伝送に変更したり、ＬＶＤＳ伝送路を複数並列配置したりするなど、新たな方法での伝送手法を用いる必要がある。しかし、これらを実現するには新たなＬＳＩ等を作製する必要があるため開発コストかかり、またデバイスの増加により製品コストが増大する。
【課題を解決するための手段】
【００１３】
本発明にかかる画像処理方法は、輝度情報と、青色成分と前記輝度との色差の情報である第１の色差情報および赤色成分と前記輝度との色差の情報である第２の色差情報を含む色差情報と、を有する画像データを用意し、前記画像データのうちの第１のフレームを構成する前記輝度情報と前記色差情報とを前記第１のフレームを構成するデータとして出力し、前記画像データのうちの前記第１のフレームに続く第２のフレームを構成する前記輝度情報と、前記画像データのうち前記第１のフレームを構成する前記色差情報と、を前記第２のフレームを構成するデータとして出力する。
【００１４】
本発明にかかる画像処理方法では、第２のフレームを表示する際に第１のフレームの色差情報を用いているので、画像データのサイズを小さくすることができる。
【００１５】
また、本発明にかかる画像処理装置は、輝度情報と、青色成分と前記輝度との色差の情報である第１の色差情報および赤色成分と前記輝度との色差の情報である第２の色差情報を含む色差情報と、を有する第１のフレームの画像データから、前記色差情報を分離する色差情報分離部と、前記色差情報分離部で分離した前記第１のフレームの前記色差情報を記憶する記憶部と、第２のフレームの輝度情報と、前記記憶部に記憶されている前記第１のフレームの前記色差情報と、を合成する輝度・色差合成部と、を有する。
【００１６】
本発明にかかる画像処理装置では、第２のフレームを表示する際に第１のフレームの色差情報を用いているので、画像データのサイズを小さくすることができる。
【発明の効果】
【００１７】
本発明によりフレーム数が増加しても画像データのサイズを抑えることができる画像処理方法及び画像処理装置を提供することが可能となる。
【図面の簡単な説明】
【００１８】
【図１】実施の形態１にかかる画像処理装置を示す図である。
【図２】実施の形態１にかかる画像処理方法を説明するための図である。
【図３】実施の形態２にかかる画像処理方法を説明するための図である。
【図４】実施の形態３にかかる画像処理方法を説明するための図である。
【図５】実施の形態４にかかる画像処理方法を説明するための図である。
【図６】ＹＵＶ４：４：４で構成される画像を示す図である。
【図７】ＹＵＶ４：２：２で構成される画像を示す図である。
【図８】ＹＵＶ４：２：０で構成される画像を示す図である。
【発明を実施するための形態】
【００１９】
実施の形態１．
以下、図面を参照して本発明の実施の形態について説明する。
本実施の形態にかかる画像処理方法は、輝度情報（Ｙ）と、青色成分と前記輝度との色差の情報である第１の色差情報（Ｕ）および赤色成分と前記輝度との色差の情報である第２の色差情報（Ｖ）を含む色差情報（Ｕ／Ｖ）と、を有する画像データを用意する。
【００２０】
そして、画像データのうちの第１のフレームを構成する輝度情報（Ｙ）と色差情報（Ｕ／Ｖ）とを第１のフレームを構成するデータとして出力する。
【００２１】
また、画像データのうちの第１のフレームに続く第２のフレームを構成する輝度情報（Ｙ）と、画像データのうちの第１のフレームを構成する色差情報（Ｕ／Ｖ）と、を第２のフレームを構成するデータとして出力する。
【００２２】
本実施の形態にかかる画像処理方法では、第２のフレームを表示する際に第１のフレームの色差情報を用いているので、画像データのサイズを小さくすることができる。以下、具体的に説明する。
【００２３】
図２は本実施の形態にかかる画像処理方法を説明するための図である。図２は、入力映像のフレームがＹＵＶ４：２：２で構成されている場合の例である。第１フレームの転送データ（画像データ）２０は、輝度情報（Ｙ）２３と、青色成分と輝度との色差の情報である第１の色差情報（Ｕ）及び赤色成分と前記輝度との色差の情報である第２の色差情報（Ｖ）とを有する画像データで構成される。ここで、第１の色差情報（Ｕ）と第２の色差情報（Ｖ）をあわせて色差情報（Ｕ／Ｖ）２４と記載する。第１フレームは各画素が輝度情報（Ｙ）２３を持ち、左右に隣接する２画素で共有した色差情報（Ｕ／Ｖ）２４を持つ、いわゆるＹＵＶ４：２：２である。
【００２４】
第２フレームの転送データ２１は、各画素が第２フレームの輝度情報（Ｙ）２５を有する。しかし、図２の第２フレームの転送データ２１は通常のＹＵＶ４：２：２で構成される画像データのうち第２フレームの色差情報は持たない。
【００２５】
本実施の形態にかかる画像処理方法では、第１フレームの転送データ２０の色差情報２４を保存して、保存された色差情報２２としている。そして、第２フレームの転送データ２１の輝度情報（Ｙ）２５と、保存された色差情報（第１フレームの色差情報）２２を合成することで、第２フレームの出力データ２６を生成している。
【００２６】
よって、本実施の形態にかかる画像処理方法では、第２フレームで第１フレームの色差情報（第１の色差情報および第２の色差情報）２２を用いているので、画像データのサイズを小さくすることができる。
【００２７】
人間の時間方向への視覚能力は、明るさ（輝度）に対しては敏感であるが、色（色差）に対しては比較的鈍感である。本実施の形態にかかる画像処理方法ではこの性質を利用し、人間の視覚が鈍感である色差情報２４を第１フレームと第２フレームとで共有することで画像データのサイズを小さくしている。
【００２８】
次に、図１を用いて本実施の形態にかかる画像処理方法を実施するための画像処理装置の一例について説明する。図１に示す画像処理装置は、フレーム管理部１０と、色差情報分離部１１と、記憶部１２と、色差情報読出し部１３と、輝度・色差合成部１４と、映像選択出力部１５と、を有する。
【００２９】
フレーム管理部１０は、入力された各フレームの画像データが色差情報を有するか否かを判断し、当該情報を管理する機能を有する。色差情報分離部１１は入力された画像データが色差情報を含む場合、画像データから色差情報を分離する機能を有する。記憶部１２は、色差情報分離部１１により分離された色差情報を記憶する機能を有する。
【００３０】
また、色差情報読出し部１３は、記憶部１２に保存された色差情報を読出す機能を有する。輝度・色差合成部１４は、入力された画像データのうちの輝度情報（第２フレームの輝度情報）と、記憶部１２から色差情報読出し部１３により読み出された色差情報（第１フレームの色差情報）を合成し、輝度・色差情報を持つデータに復元する機能を有する。映像選択出力部１５は、フレーム管理手段１０からの管理情報に基づき、入力された画像データまたは輝度・色差合成部１４からのデータを選択し、画像データとして出力する。
【００３１】
次に、本実施の形態にかかる画像処理装置の動作について、図１、図２を用いて説明する。
フレーム管理部１０は、入力された各フレームの画像データが色差情報２４を有するか否かを判断する。まず、第１フレームの転送データ２０（輝度情報と色差情報を含むデータとする）が入力された場合、フレーム管理部１０は、当該画像データが色差情報を含むフレームである事を色差情報分離部１１及び映像選択出力部１５に伝達する。
【００３２】
色差情報分離部１１は、入力された第１フレームの転送データ２０から色差情報２４を選択し、色差情報２４を記憶部１２へ出力する。記憶部１２は色差情報２４を記憶する。記憶部１２で記憶された色差情報２４は保存された色差情報２２となる。
また、この場合、映像選択出力部１５は、入力された第１フレームの転送データ２０を出力として選択する。
【００３３】
そして、第１フレームの転送データ２０の画像処理の後に、第２フレームの転送データ（輝度情報のみを含むデータとする）２１が入力される。フレーム管理部１０は、入力された第２フレームの転送データ２１がＵＶ情報を含まないフレームであることを色差情報分離部１１、色差情報読出し部１３、輝度・色差合成部１４、映像選択出力部１５に伝達する。この場合、色差情報分離部１１は第２フレームの転送データから色差情報を分離しない。
【００３４】
色差情報読出し部１３は、記憶部１２に記憶されている第１フレームの色差情報（保存された色差情報２２）を読み出し、輝度・色差合成部１４に出力する。輝度・色差合成部１４は、入力された第２フレームの転送データ２１の輝度情報２５と、前述の色差情報読出し部１３から受けた色差情報２４を合成し、輝度・色差情報を持つ第２フレームの出力データ２６を形成する。映像選択出力部１５は、輝度・色差合成部１４からの第２フレームの出力データ２６を選択し、画像データとして出力する。
【００３５】
以上で説明した本実施の形態にかかる発明では、第２フレームで第１フレームの色差情報（第１の色差情報および第２の色差情報）２４を用いているので、画像データのサイズを小さくすることができる。よって、残像現象の影響を小さくするためにフレーム数を増加させたとしても、映像機器が取り扱うデータ量の増加を抑えることができる。また、データ量の増加を抑えることができるため、メモリサイズや伝送路帯域、消費電力などを抑えることができる。
【００３６】
尚、図２では第１フレーム２０、第２フレーム２１の全ての画素において輝度情報が入力され、更に、第１フレーム２０に含まれる色差情報２４の全てが保存された色差情報２２として用いられている。しかしながら、本実施の形態にかかる画像処理方法は、第１フレーム２０、第２フレーム２１の全ての画素のうちの一部の画素においても実施することができる。
【００３７】
例えば、ＤＲＡＭ等のメモリデバイスに格納された第１フレームのデータの読み出し処理を行った後に、第２フレームのデータの読み出し処理を行う場合、各フレームを構成する画素のうち、任意の一部分のみに本実施の形態にかかる画像処理を実施することが可能である。
【００３８】
また、輝度情報と色差情報を有するフレームと、輝度情報のみを有するフレームの割合は、任意に設定することができる。例えば、輝度情報と色差情報を有するフレームと輝度情報のみを有するフレームの割合を１：２とすることで、当該割合が１：１の時よりも更にデータサイズを小さくすることができる。
【００３９】
また、本実施の形態にかかる画像処理方法としてＹＵＶ４：２：２の場合を例として説明したが、本実施の形態にかかる発明は、他の方式、例えばＹＵＶ４：４：４、ＹＵＶ４：２：０等にも同様に適用することができる。
【００４０】
実施の形態２．
次に、実施の形態２にかかる画像処理方法について説明する。本実施の形態にかかる画像処理方法では、第２フレームの転送データの一部に色差情報を有する。それ以外の部分については、実施の形態１で説明した内容と同様であるので重複した説明は省略する。
【００４１】
本実施の形態にかかる画像処理方法では、第１フレームの各画素の色差情報とこれに対応する第２フレームの各画素の色差情報とを比較した際に、色差情報の変化が大きい画素については、第２フレームの転送データに新たに色差情報を追加している。このように、色差情報の変化が大きい画素についてのみ新たに色差情報を追加することで、より高精度な画像処理を実現することができ、また第２フレームの転送データのサイズを小さく保つことができる。
【００４２】
図３は、本実施の形態にかかる画像処理方法を説明するための図である。図３に示す第２フレームの転送データ２１では、輝度情報２５の他に色差情報２７が追加されている。この色差情報２７が追加された画素は、第１フレームの画像からの色差情報の変化が比較的大きい画素である。そして、第２フレームの転送データ２１と保存された色差情報２２とを合成して第２フレームの出力データ２６を生成している。この時、第２フレームの出力データ２６は、第２フレームの輝度情報２５と第１フレームの色差情報２４と第２フレームの色差情報２７で構成されている。
【００４３】
尚、保存された色差情報２２のうち、第２フレームの転送データに追加された色差情報２７に対応する画素の色差情報２８については、色差情報の保存を省略することもできる。また、本実施の形態にかかる画像処理方法は、例えば実施の形態１で説明した画像処理装置に、フレーム間の色差情報の変化を検知する手段を追加した画像処理装置を用いて実施することができる。
【００４４】
実施の形態３．
次に、実施の形態３にかかる画像処理方法について説明する。本実施の形態にかかる画像処理方法では、第２フレームの転送データに含まれる輝度情報の一部を省略している。それ以外の部分については、実施の形態１で説明した内容と同様であるので重複した説明は省略する。
【００４５】
本実施の形態にかかる画像処理方法では、第１フレームの各画素の輝度情報とこれに対応する第２フレームの各画素の輝度情報とを比較した際に、輝度情報の変化が小さい画素については、第２フレームの転送データから輝度情報を除いている。このように、輝度情報の変化が小さい画素の輝度情報を省略することで、第２フレームの転送データのサイズを小さくすることができる。
【００４６】
図４は、本実施の形態にかかる画像処理方法を説明するための図である。図４に示す第２フレームの転送データ２１では、点線で示した輝度情報２９が省略されている。また、第１フレームの転送データ２０の輝度情報２３のうち、当該省略された輝度情報２９に対応する画素の輝度情報がメモリ等に保存されている。そして、第２フレームの転送データ２１と保存された色差情報２２とメモリ等に保存された第１フレームの輝度情報を合成して、第２フレームの出力データ２６を生成している。この時、第２フレームの出力データ２６は、第２フレームの輝度情報２５と第１フレームの色差情報２４と第１フレームの輝度情報２３で構成されている。
【００４７】
本実施の形態にかかる画像処理方法は、例えば実施の形態１で説明した画像処理装置に、フレーム間の輝度情報の変化を検知する手段と、前フレーム（第１フレーム）の輝度情報を記憶する記憶手段を追加した画像処理装置を用いて実施することができる。
【００４８】
実施の形態４．
次に、実施の形態４にかかる画像処理方法について説明する。本実施の形態にかかる画像処理方法では、第２フレームの転送データの一部に色差情報を有し、更に、第２フレームの転送データに含まれる輝度情報の一部を省略している。それ以外の部分については、実施の形態１で説明した内容と同様であるので重複した説明は省略する。
【００４９】
本実施の形態にかかる画像処理方法では、第１フレームの各画素の色差情報とこれに対応する第２フレームの各画素の色差情報とを比較した際に、色差情報の変化が大きい画素については、第２フレームの転送データに新たに色差情報を追加している。このように、色差情報の変化が大きい画素についてのみ新たに色差情報を追加することで、より高精度な画像処理を実現することができ、また第２フレームの転送データのサイズを小さく保つことができる。
【００５０】
また、本実施の形態にかかる画像処理方法では、第１フレームの各画素の輝度情報とこれに対応する第２フレームの各画素の輝度情報とを比較した際に、輝度情報の変化が小さい画素については、第２フレームの転送データから輝度情報を除いている。このように、輝度情報の変化が小さい画素の輝度情報を省略することで、第２フレームの転送データのサイズを小さくすることができる。
【００５１】
図５は、本実施の形態にかかる画像処理方法を説明するための図である。図５に示す第２フレームの転送データ２１では、輝度情報２５の他に色差情報２７が追加されている。この色差情報２７が追加された画素は、第１フレームの画像からの色差情報の変化が比較的大きい画素である。また、第２フレームの転送データ２１では、点線で示した輝度情報２９が省略されている。第１フレームの転送データ２０の輝度情報２３のうち、当該省略された輝度情報２９に対応する画素の輝度情報はメモリ等に保存されている。
【００５２】
そして、第２フレームの転送データ２１と保存された色差情報２２とメモリ等に保存された第１フレームの輝度情報を合成して、第２フレームの出力データ２６を生成している。この時、第２フレームの出力データ２６は、第２フレームの輝度情報２５と第１フレームの色差情報２４と第１フレームの輝度情報２３と第２フレームの色差情報２７で構成されている。
【００５３】
尚、保存された色差情報２２のうち、第２フレームの転送データに追加された色差情報２７に対応する画素の色差情報２８については、色差情報の保存を省略することもできる。また、本実施の形態にかかる画像処理方法は、例えば実施の形態１で説明した画像処理装置に、フレーム間の輝度情報と色差情報の変化をそれぞれ検知する手段、前フレーム（第１フレーム）の輝度情報を記憶する記憶手段を追加した画像処理装置を用いて実施することができる。
【００５４】
以上、本発明を上記実施の形態に即して説明したが、上記実施形態の構成にのみ限定されるものではなく、本願特許請求の範囲の請求項の発明の範囲内で当業者であればなし得るであろう各種変形、修正、組み合わせを含むことは勿論である。
【符号の説明】
【００５５】
１０  フレーム管理部
１１  色差情報分離部
１２  記憶部
１３  色差情報読出し部
１４  輝度・色差合成部
１５  映像選択出力部
２０  第１フレームの転送データ
２１  第２フレームの転送データ
２２  保存された色差情報
２３  第１フレームの輝度情報
２４  第１フレームの色差情報
２５  第２フレームの輝度情報
２６  第２フレームの出力データ
２７  第２フレームの色差情報
２８  省略可能な色差情報
２９  省略可能な輝度情報
【図１】
2010245814.tif 000003
【図２】
2010245814.tif 000004
【図３】
2010245814.tif 000005
【図４】
2010245814.tif 000006
【図５】
2010245814.tif 000007
【図６】
2010245814.tif 000008
【図７】
2010245814.tif 000009
【図８】
2010245814.tif 000010